(57)【要約】【課題】  ２００３年５月以降の機械（受信機）で、このＤＣＳ信号を受信すると送信機には、ＤＣＳ信号のＦＩＦの１１３ビット目以降の情報は無いと判断してしまうという欠点があった。特に、ＤＣＳ信号のＦＩＦの１１３ビット目以降に送信モードの指定が有る場合には、送信機から指定したモードと受信機の動作が異なるため通信不具合が発生するケースがあった。【解決手段】  拡張したＤＩＳ・ＤＣＳ信号のＦＩＦをサポート可能なファクシミリ装置において、前手順にて、送信機から受信機に、ＤＣＳ信号のＦＩＦの１１２ビット目が０であり、ＤＣＳ信号のＦＩＦの１１３ビット目以降に情報がある時には、受信機は、これらの情報を有効情報として処理する。【選択図】  図１
2006066955.tif 000002
【特許請求の範囲】
【請求項１】
拡張したＤＩＳ・ＤＣＳ信号のＦＩＦをサポート可能なファクシミリ装置において、前手順にて、送信機から受信機に、ＤＣＳ信号のＦＩＦの１１２ビット目が０であり、ＤＣＳ信号のＦＩＦの１１３ビット目以降に情報がある時には、受信機は、これらの情報を有効情報として処理する事を特徴とするファクシミリ装置。
【請求項２】
請求項１のファクシミリ装置において、前手順にて、送信機から受信機に、ＤＣＳ信号のＦＩＦの１１２ビット目が０であり、ＤＣＳ信号のＦＩＦの１１３ビット目以降の情報が少なくとも１ビットでも１である場合、受信機は、これらの情報を有効情報として処理する事を特徴とするファクシミリ装置。
【請求項３】
請求項１、２のファクシミリ装置において、前手順にて、送信機から受信機に送信されたＤＣＳ信号のＦＩＦの１１３ビット目以降の情報を有効情報として処理した場合、受信機は、ＤＣＳ信号のＦＩＦの１１２ビット目は交互モードでの両面受信機能の有無を表すビットとして処理する事を特徴とするファクシミリ装置。
【請求項４】
拡張したＤＩＳ・ＤＣＳ信号のＦＩＦをサポート可能なファクシミリ装置において、前手順にて、受信機から送信機に、ＤＩＳ信号のＦＩＦの１１２ビット目が０であり、ＤＩＳ信号のＦＩＦの１１３ビット目以降に情報がある時には、送信機は、これらの情報を有効情報として処理する事を特徴とするファクシミリ装置。
【請求項５】
請求項４のファクシミリ装置において、前手順にて、受信機から送信機に、ＤＩＳ信号のＦＩＦの１１２ビット目が０であり、ＤＩＳ信号のＦＩＦの１１３ビット目以降の情報が少なくとも１ビットでも１である場合、送信機は、これらの情報を有効情報として処理する事を特徴とするファクシミリ装置。
【請求項６】
請求項４、５のファクシミリ装置において、前手順にて、受信機から送信機に送信されたＤＩＳ信号のＦＩＦの１１３ビット目以降の情報を有効情報として処理した場合、送信機は、ＤＩＳ信号のＦＩＦの１１２ビット目は交互モードでの両面受信機能の有無を表すビットとして処理する事を特徴とするファクシミリ装置。
【請求項７】
拡張したＤＩＳ・ＤＣＳ信号のＦＩＦをサポート可能なファクシミリ通信方式において、前手順にて、送信機から受信機に、ＤＣＳ信号のＦＩＦの１１２ビット目が０であり、ＤＣＳ信号のＦＩＦの１１３ビット目以降に情報がある時には、受信機は、これらの情報を有効情報として処理する事を特徴とするファクシミリ通信方式。
【請求項８】
請求項７のファクシミリ通信方式において、前手順にて、送信機から受信機に、ＤＣＳ信号のＦＩＦの１１２ビット目が０であり、ＤＣＳ信号のＦＩＦの１１３ビット目以降の情報が少なくとも１ビットでも１である場合、受信機は、これらの情報を有効情報として処理する事を特徴とするファクシミリ通信方式。
【請求項９】
請求項７、８のファクシミリ通信方式において、前手順にて、送信機から受信機に送信されたＤＣＳ信号のＦＩＦの１１３ビット目以降の情報を有効情報として処理した場合、受信機は、ＤＣＳ信号のＦＩＦの１１２ビット目は交互モードでの両面受信機能の有無を表すビットとして処理する事を特徴とするファクシミリ通信方式。
【請求項１０】
拡張したＤＩＳ・ＤＣＳ信号のＦＩＦをサポート可能なファクシミリ通信方式において、前手順にて、受信機から送信機に、ＤＩＳ信号のＦＩＦの１１２ビット目が０であり、ＤＩＳ信号のＦＩＦの１１３ビット目以降に情報がある時には、送信機は、これらの情報を有効情報として処理する事を特徴とするファクシミリ通信方式。
【請求項１１】
請求項１０のファクシミリ通信方式において、前手順にて、受信機から送信機に、ＤＩＳ信号のＦＩＦの１１２ビット目が０であり、ＤＩＳ信号のＦＩＦの１１３ビット目以降の情報が少なくとも１ビットでも１である場合、送信機は、これらの情報を有効情報として処理する事を特徴とするファクシミリ通信方式。
【請求項１２】
請求項１０、１１のファクシミリ通信方式において、前手順にて、受信機から送信機に送信されたＤＩＳ信号のＦＩＦの１１３ビット目以降の情報を有効情報として処理した場合、送信機は、ＤＩＳ信号のＦＩＦの１１２ビット目は交互モードでの両面受信機能の有無を表すビットとして処理する事を特徴とするファクシミリ通信方式。
【発明の詳細な説明】
【技術分野】
【０００１】
本発明は、ファクシミリ装置、特に、拡張したＤＩＳ信号のＦＩＦをサポート可能なファクシミリ装置に関するものである。
【背景技術】
【０００２】
従来のファクシミリ装置は、送信機側と受信機のネゴシエーションを前手順により実行していた。より正確には、受信機からＤＩＳ信号を送信して、受信機の受信能力を送信機に通知し、一方、送信機からＤＣＳ信号を送信して、送信モードを受信機に指定していた。ここで、ＤＩＳ信号、ＤＣＳ信号にはＦＩＦ（ファクシミリ情報フィールド）を有し、機能拡張に対応していた。ここで、ＦＩＦの８ビット目、１６ビット目、２４ビット目、・・・・と８ビット毎に拡張ビットいちづけて、さらに、拡張のＦＩＦが存在する場合はこの拡張ビットは１にする約束であった（特許文献１）。
【特許文献１】特開２００３−２４４４１５号公報
【発明の開示】
【発明が解決しようとする課題】
【０００３】
しかしながら、２０００年にＩＴＵーＴで勧告化されたが、交互モードでの両面受信機能ビットは１１２ビット目にアサインされた。より具体的には、ＤＩＳ信号のＦＩＦの１１２ビット目は交互モードでの両面受信機能の有無を表し、ＤＣＳ信号のＦＩＦの１１２ビット目は交互モードでの両面送信の指定を表す。
【０００４】
ここで、一般的に、ＤＩＳ信号、ＤＣＳ信号、ＤＴＣ信号のＦＩＦの拡張は、８ビット毎に次のバイトデータがあるかを示す拡張ビットにアサインされる様に決まっていた。このため本来なら、ＤＩＳ信号、ＤＣＳ信号、ＤＴＣ信号のＦＩＦの１１２ビットは、拡張ビットであり、この１１２ビットには、機能ビットをアサインしていけなかった。
【０００５】
この矛盾を解決するために、２００３年５月のＩＴＵ−Ｔ会合にて、交互モードでの両面受信機能ビットは１１３ビット目にアサインされた。より具体的には、ＤＩＳ信号のＦＩＦの１１３ビット目は交互モードでの両面受信機能の有無を表し、ＤＣＳ信号のＦＩＦの１１３ビット目は交互モードでの両面送信の指定を表す事にした。そして、１１２ビット目は拡張ビットにした。
【０００６】
２０００年のＩＴＵ−Ｔの勧告書を見て、装置設計した場合、交互モードでの両面受信をサポートしない場合、ＤＩＳ信号のＦＩＦの１１２ビットを０としてしまう。また、交互モードでの両面送信を指定していないと、ＤＣＳ信号のＦＩＦの１１２ビットを０としてしまう。このために、２００３年５月以降の機械（送信機）で、このＤＩＳ信号を受信すると、受信機には、ＤＩＳ信号のＦＩＦの１１３ビット目以降の情報は無いと判断してしまうという欠点があった。また、２００３年５月以降の機械（受信機）で、このＤＣＳ信号を受信すると送信機には、ＤＣＳ信号のＦＩＦの１１３ビット目以降の情報は無いと判断してしまうという欠点があった。特に、ＤＣＳ信号のＦＩＦの１１３ビット目以降に送信モードの指定が有る場合には、送信機から指定したモードと受信機の動作が異なるため通信不具合が発生するケースがあった。
【課題を解決するための手段】
【０００７】
第１の本発明によれば、拡張したＤＩＳ・ＤＣＳ信号のＦＩＦをサポート可能なファクシミリ装置において、前手順にて、送信機から受信機に、ＤＣＳ信号のＦＩＦの１１２ビット目が０であり、ＤＣＳ信号のＦＩＦの１１３ビット目以降に情報がある時には、受信機は、これらの情報を有効情報として処理する事が可能になった。第２の本発明によれば、第１の本発明のファクシミリ装置において、前手順にて、送信機から受信機に、ＤＣＳ信号のＦＩＦの１１２ビット目が０であり、ＤＣＳ信号のＦＩＦの１１３ビット目以降の情報が少なくとも１ビットでも１である場合、受信機は、これらの情報を有効情報として処理する事が可能になった。第３の本発明によれば、第１、２の本発明のファクシミリ装置において、前手順にて、送信機から受信機に送信されたＤＣＳ信号のＦＩＦの１１３ビット目以降の情報を有効情報として処理した場合、受信機は、ＤＣＳ信号のＦＩＦの１１２ビット目は交互モードでの両面受信機能の有無を表すビットとして処理する事が可能になった。
【０００８】
これらにより、２０００年のＩＴＵ−Ｔの勧告書を見て、装置設計した場合、交互モードでの両面送信を指定していないと、ＤＣＳ信号のＦＩＦの１１２ビットを０としてしまう。このために、２００３年５月以降の機械（受信機）で、このＤＣＳ信号を受信すると送信機には、ＤＣＳ信号のＦＩＦの１１３ビット目以降の情報は無いと判断してしまう欠点があったが、この場合に、受信機は、送信機側がＤＣＳ信号のＦＩＦの１１２ビット目は交互モードでの両面受信機能の有無を表すビットとして送信していると判断（２０００年のＩＴＵ−Ｔの勧告に基ずいている）して処理する事が可能になり、送信機側の送信指定と受信機側での認識が一致し、通信が確実に実行できるようになった。
【０００９】
第４の本発明によれば、拡張したＤＩＳ・ＤＣＳ信号のＦＩＦをサポート可能なファクシミリ装置において、前手順にて、受信機から送信機に、ＤＩＳ信号のＦＩＦの１１２ビット目が０であり、ＤＩＳ信号のＦＩＦの１１３ビット目以降に情報がある時には、送信機は、これらの情報を有効情報として処理する事が可能になった。第５の本発明によれば、第４の本発明のファクシミリ装置において、前手順にて、受信機から送信機に、ＤＩＳ信号のＦＩＦの１１２ビット目が０であり、ＤＩＳ信号のＦＩＦの１１３ビット目以降の情報が少なくとも１ビットでも１である場合、送信機は、これらの情報を有効情報として処理する事が可能になった。第６の本発明によれば、第４、５の本発明のファクシミリ装置において、前手順にて、受信機から送信機に送信されたＤＩＳ信号のＦＩＦの１１３ビット目以降の情報を有効情報として処理した場合、送信機は、ＤＩＳ信号のＦＩＦの１１２ビット目は交互モードでの両面受信機能の有無を表すビットとして処理する事が可能になった。
【００１０】
これらにより、２０００年のＩＴＵ−Ｔの勧告書を見て、装置設計した場合、交互モードでの両面受信をサポートしない場合、ＤＩＳ信号のＦＩＦの１１２ビットを０としてしまう。このために、２００３年５月以降の機械（送信機）で、このＤＩＳ信号を受信すると、受信機には、ＤＩＳ信号のＦＩＦの１１３ビット目以降の情報は無いと判断してしまうという欠点があったが、この場合に、送信機は、受信機側がＤＩＳ信号のＦＩＦの１１２ビット目は交互モードでの両面受信機能の有無を表すビットとして送信していると判断（２０００年のＩＴＵ−Ｔの勧告に基ずいている）して処理する事が可能になり、送信機側の送信指定と受信機側での認識が一致し、通信が確実に実行できるようになった。
【００１１】
第７の本発明から第１２の本発明は、第１の本発明から第６の本発明をファクシミリ装置からファクシミリ通信方式にしたものである。
【発明の効果】
【００１２】
第１、２、３の本発明によれば、２０００年のＩＴＵ−Ｔの勧告書を見て、装置設計した場合、交互モードでの両面送信を指定していないと、ＤＣＳ信号のＦＩＦの１１２ビットを０としてしまう。このために、２００３年５月以降の機械（受信機）で、このＤＣＳ信号を受信すると送信機には、ＤＣＳ信号のＦＩＦの１１３ビット目以降の情報は無いと判断してしまう欠点があったが、この場合に、受信機は、送信機側がＤＣＳ信号のＦＩＦの１１２ビット目は交互モードでの両面受信機能の有無を表すビットとして送信していると判断（２０００年のＩＴＵ−Ｔの勧告に基ずいている）して処理する事が可能になり、送信機側の送信指定と受信機側での認識が一致し、通信が確実に実行できるようになった。
【００１３】
第４、５、６の本発明によれば、２０００年のＩＴＵ−Ｔの勧告書を見て、装置設計した場合、交互モードでの両面受信をサポートしない場合、ＤＩＳ信号のＦＩＦの１１２ビットを０としてしまう。このために、２００３年５月以降の機械（送信機）で、このＤＩＳ信号を受信すると、受信機には、ＤＩＳ信号のＦＩＦの１１３ビット目以降の情報は無いと判断してしまうという欠点があったが、この場合に、送信機は、受信機側がＤＩＳ信号のＦＩＦの１１２ビット目は交互モードでの両面受信機能の有無を表すビットとして送信していると判断（２０００年のＩＴＵ−Ｔの勧告に基ずいている）して処理する事が可能になり、送信機側の送信指定と受信機側での認識が一致し、通信が確実に実行できるようになった。
【００１４】
第７の本発明から第１２の本発明は、第１の本発明から第６の本発明をファクシミリ装置からファクシミリ通信方式にしたものである。
【発明を実施するための最良の形態】
【００１５】
（実施例１）
以下、図面に示す実施の形態に基ずいて、本発明を詳細に説明する。
【００１６】
図１には、本発明の実施の形態であるファクシミリ装置がブロック図として図示されている。
【００１７】
２は、ＮＣＵ（網制御装置）で、電話網をデータ通信等に使用するために、その回線の端末に接続し、電話交換網の接続制御を行ったり、データ通信路への切り換えを行ったり、ループの保持を行うものである。また、ＮＣＵ２は、バス２６からの制御により、電話回線２ａを電話機側に接続（ＣＭＬオフ）したり、電話回線２ａをファクシミリ装置側に接続（ＣＭＬオン）するものである。なお、通常状態では、電話回線２ａは、電話機４側に接続されている。
【００１８】
４は、電話機である。
【００１９】
６は、ハイブリッド回路であり、送信系の信号と受信系の信号とを分離し、加算回路１２からの送信信号をＮＣＵ２経由で電話回線２ａに送出し、相手側からの信号をＮＣＵ２経由で受け取り、信号線６ａ経由で復調器８に送るものである。
【００２０】
８は、変復調器であり、ＩＴＵ−Ｔ勧告Ｖ．８、Ｖ．２１、Ｖ．２７ｔｅｒ、Ｖ．２９、Ｖ．１７、Ｖ．３４に基ずいた変調及び復調を行う変復調器であり、バス２６の制御により、各伝送モードが指定される。８は、バス２６からの送信信号を入力し、変調データを信号線８ａに出力し、信号線６ａに出力されている受信信号を入力し、復調データをバス２６に出力する。
【００２１】
１０は、発呼回路であり、バス２６からの信号により、電話番号情報を入力し、信号線１０ａにＤＴＭＦの選択信号を出力する。
【００２２】
１２は、加算回路であり、信号線８ａの情報と信号線１０ａの情報を入力し、加算した結果を信号線１２ａに出力する。
【００２３】
１４は、両面読み取り可能な読取回路であり、読み取りデータをバス２６に出力する。
【００２４】
１６は、両面記録可能な記録回路であり、バス２６に出力されている情報を順次１ライン毎に記録する。
【００２５】
１８は、メモリ回路であり、ワーク用のメモリ（ＲＡＭ）、さらに、読み取りデータの生情報、あるいは、符号化した情報を格納したり、また、受信情報、あるいは、復号化した情報等をバス２６を介して格納する。
【００２６】
２０は、操作部であり、ワンタッチダイヤル、短縮ダイヤル、テンキー、＊キー、＃キー、スタートキー、ストップキー、セットキー、両面情報の送信を選択するキー、その他のファンクションキーがあり、押下されたキー情報はバス２６に出力される。
【００２７】
操作部には、表示部があり、バス２６に出力されている情報を入力し、表示する。
【００２８】
２２は、ＣＰＵ（中央処理装置）であり、ファクシミリ全体の制御をしたり、ファクシミリ伝送制御手順を実行するが、その制御プログラムは、ＲＯＭ２４に格納される。
【００２９】
２６は、バスである。
【００３０】
図２には、（１）に２０００年版にＩＴＵ−Ｔ勧告のＤＩＳ、ＤＣＳ、ＤＴＣ信号のＦＩＦの１１２ビット目以降の情報、（２）に２００３年５月版のＩＴＵ−Ｔ勧告のＤＩＳ、ＤＣＳ、ＤＴＣ信号のＦＩＦの１１２ビット目以降の情報が図示されている。
【００３１】
２４は、拡張したＤＩＳ・ＤＣＳ信号のＦＩＦをサポート可能なファクシミリ装置において、前手順にて、送信機から受信機に、ＤＣＳ信号のＦＩＦの１１２ビット目が０であり、ＤＣＳ信号のＦＩＦの１１３ビット目以降に情報がある時には、受信機は、これらの情報を有効情報として処理する。言いかえると、前手順にて、送信機から受信機に、ＤＣＳ信号のＦＩＦの１１２ビット目が０であり、ＤＣＳ信号のＦＩＦの１１３ビット目以降の情報が少なくとも１ビットでも１である場合、受信機は、これらの情報を有効情報として処理する。ここで、前手順にて、送信機から受信機に送信されたＤＣＳ信号のＦＩＦの１１３ビット目以降の情報を有効情報として処理した場合、受信機は、ＤＣＳ信号のＦＩＦの１１２ビット目は交互モードでの両面受信機能の有無を表すビットとして処理する。
【００３２】
一方、拡張したＤＩＳ・ＤＣＳ信号のＦＩＦをサポート可能なファクシミリ装置において、前手順にて、受信機から送信機に、ＤＩＳ信号のＦＩＦの１１２ビット目が０であり、ＤＩＳ信号のＦＩＦの１１３ビット目以降に情報がある時には、送信機は、これらの情報を有効情報として処理する。言いかえると、前手順にて、受信機から送信機に、ＤＩＳ信号のＦＩＦの１１２ビット目が０であり、ＤＩＳ信号のＦＩＦの１１３ビット目以降の情報が少なくとも１ビットでも１である場合、送信機は、これらの情報を有効情報として処理する。ここで、前手順にて、受信機から送信機に送信されたＤＩＳ信号のＦＩＦの１１３ビット目以降の情報を有効情報として処理した場合、送信機は、ＤＩＳ信号のＦＩＦの１１２ビット目は交互モードでの両面受信機能の有無を表すビットとして処理する。
【００３３】
以上の制御プログラムが格納されている。
【００３４】
図３、４、５、６、７、８には、図１の制御の流れ図が図示されている
図３において、S0は、始めを表している。
【００３５】
Ｓ２は、バス２６を介して、メモリ１８をイニシャライズする事を表している。
【００３６】
Ｓ４は、バス２６を介して、操作部の表示部をクリアする事を表している。
【００３７】
Ｓ６では、バス２６を介してＮＣＵ２のCMLをオフする。
【００３８】
Ｓ８では、ファクシミリ受信が選択されたか否かが判断されＹＥＳであるとＳ１２に進み、ＮＯであるとＳ１０に進み、その他の処理をする。
【００３９】
Ｓ１２では、バス２６を介してＮＣＵ２のCMLをオンする。
【００４０】
Ｓ１４は、前手順を表している。ここでは、２００３年５月以降のＩＴＵ−Ｔ勧告のＴ．３０に従ったＤＩＳ信号のＦＩＦに基ずいて送信する。ここでは、ＤＩＳ信号のＦＩＦの１１２ビットは拡張ビットとして１とし、ＤＩＳ信号のＦＩＦの１１３ビットは交互両面受信機能ビットとして１とし、ＤＩＳ信号のＦＩＦの１１４ビットは連続両面受信機能ビットとして１とする。
【００４１】
Ｓ１６では、ＤＣＳ信号のＦＩＦの１１２ビットが０であるか否かが判断され、ＹＥＳであるとＳ１８に進み、ＮＯであるとＳ３４に進む。
【００４２】
Ｓ１８では、ＤＣＳ信号のＦＩＦの１１３ビット以降の情報が無いか否かが判断され、ＹＥＳであるとＳ２２に進み、ＮＯであるとＳ２０に進む。
【００４３】
Ｓ２０では、ＤＣＳ信号のＦＩＦの１１３ビット以降の情報が全て０であるか否かが判断され、ＹＥＳであるとＳ２２に進み、ＮＯであるとＳ２８に進む。
【００４４】
Ｓ２２は、残りの前手順を表している。ここでは、ＤＣＳ信号のＦＩＦの１１１ビット目までを有効にする。
【００４５】
Ｓ２４は、画信号の受信処理を表している。
【００４６】
Ｓ２６は、後手順を表している。
【００４７】
Ｓ２８は、残りの前手順を表している。ここでは、２０００年版のＩＴＵ−Ｔ勧告、すなわち、一例としては、ＤＣＳ信号のＦＩＦの１１２ビット目は交互モードでの両面通信指定である）に基づく制御を実行する。
【００４８】
２０００年のＩＴＵ−Ｔの勧告書を見て、装置設計した場合、交互モードでの両面送信を指定していないと、ＤＣＳ信号のＦＩＦの１１２ビットを０としてしまう。このために、２００３年５月以降の機械（受信機）で、このＤＣＳ信号を受信すると送信機には、ＤＣＳ信号のＦＩＦの１１３ビット目以降の情報は無いと判断してしまう欠点があったが、この場合に、受信機は、送信機側がＤＣＳ信号のＦＩＦの１１２ビット目は交互モードでの両面受信機能の有無を表すビットとして送信していると判断（２０００年のＩＴＵ−Ｔの勧告に基ずいている）して処理する事が可能になり、送信機側の送信指定と受信機側での認識が一致し、通信が確実に実行できるようになった。
【００４９】
Ｓ３０は、画信号の受信処理を表している。
【００５０】
Ｓ３２は、後手順を表している。
【００５１】
Ｓ３４では、ＤＣＳ信号のＦＩＦの１１３ビット以降の情報があるか否かが判断され、ＹＥＳであるとＳ３６に進み、ＮＯであるとＳ２８に進む。
【００５２】
Ｓ３６では、ＤＣＳ信号のＦＩＦの１１３ビット以降の情報が全て０であるか否かが判断され、ＹＥＳであるとＳ２８に進み、ＮＯであるとＳ３８に進む。
【００５３】
Ｓ３８は、残りの前手順を表している。ここでは、２００３年５月版のＩＴＵ−Ｔ勧告、すなわち、一例としては、ＤＣＳ信号のＦＩＦの１１２ビット目は拡張ビットである）に基づく制御を実行する。
【００５４】
Ｓ４０は、画信号の受信処理を表している。
【００５５】
Ｓ４２は、後手順を表している。
【００５６】
Ｓ４４では、ファクシミリ送信が選択されたか否かが判断されＹＥＳであるとＳ４６に進み、ＮＯであるとＳ６に進む。
【００５７】
Ｓ４６では、バス２６を介してＮＣＵ２のCMLをオンする。
【００５８】
Ｓ４８は、発呼回路を使用して、指定された宛先へ発呼する事を表している。
【００５９】
Ｓ５０は、前手順を表している。
【００６０】
Ｓ５２では、ＤＩＳ信号のＦＩＦの１１２ビットが０であるか否かが判断され、ＹＥＳであるとＳ５４に進み、ＮＯであるとＳ７０に進む。
【００６１】
Ｓ５４では、ＤＩＳ信号のＦＩＦの１１３ビット以降の情報が無いか否かが判断され、ＹＥＳであるとＳ５６に進み、ＮＯであるとＳ６２に進む。
【００６２】
Ｓ５６は、残りの前手順を表している。ここでは、ＤＩＳ信号のＦＩＦの１１１ビット目までを有効にする。
【００６３】
Ｓ５８は、画信号の受信処理を表している。
【００６４】
Ｓ６０は、後手順を表している。
【００６５】
Ｓ６２では、ＤＩＳ信号のＦＩＦの１１３ビット以降の情報が全て０であるか否かが判断され、ＹＥＳであるとＳ５６に進み、ＮＯであるとＳ６４に進む。
【００６６】
Ｓ６４は、残りの前手順を表している。ここでは、２０００年版のＩＴＵ−Ｔ勧告、すなわち、一例としては、ＤＣＳ信号のＦＩＦの１１２ビット目は交互モードでの両面通信指定である）に基づく制御を実行する。
【００６７】
２０００年のＩＴＵ−Ｔの勧告書を見て、装置設計した場合、交互モードでの両面受信をサポートしない場合、ＤＩＳ信号のＦＩＦの１１２ビットを０としてしまう。このために、２００３年５月以降の機械（送信機）で、このＤＩＳ信号を受信すると、受信機には、ＤＩＳ信号のＦＩＦの１１３ビット目以降の情報は無いと判断してしまうという欠点があったが、この場合に、送信機は、受信機側がＤＩＳ信号のＦＩＦの１１２ビット目は交互モードでの両面受信機能の有無を表すビットとして送信していると判断（２０００年のＩＴＵ−Ｔの勧告に基ずいている）して処理する事が可能になり、送信機側の送信指定と受信機側での認識が一致し、通信が確実に実行できるようになった。
【００６８】
Ｓ６６は、画信号の受信処理を表している。
【００６９】
Ｓ６８は、後手順を表している。
【００７０】
Ｓ７０では、ＤＩＳ信号のＦＩＦの１１３ビット以降の情報があるか否かが判断され、ＹＥＳであるとＳ７２に進み、ＮＯであるとＳ６４に進む。
【００７１】
Ｓ７２では、ＤＩＳ信号のＦＩＦの１１３ビット以降の情報が全て０であるか否かが判断され、ＹＥＳであるとＳ６４に進み、ＮＯであるとＳ７４に進む。
【００７２】
Ｓ７４は、残りの前手順を表している。ここでは、２００３年５月版のＩＴＵ−Ｔ勧告、すなわち、一例としては、ＤＣＳ信号のＦＩＦの１１２ビット目は拡張ビットである）に基づく制御を実行する。
【００７３】
Ｓ７６は、画信号の受信処理を表している。
【００７４】
Ｓ７８は、後手順を表している。
【図面の簡単な説明】
【００７５】
【図１】本発明によるファクシミリ装置の実施例のブロック図。
【図２】ＤＩＳ、ＤＣＳ、ＤＴＣ信号のＦＩＦ情報図。
【図３】本発明による制御の流れ図。
【図４】本発明による制御の流れ図。
【図５】本発明による制御の流れ図。
【図６】本発明による制御の流れ図。
【図７】本発明による制御の流れ図。
【図８】本発明による制御の流れ図。
【符号の説明】
【００７６】
２  NCU
４  電話機
６  ハイブリッド回路
８  変復調器
１０  発呼回路
１２  加算回路
１４  読み取り回路
１６  記録回路
１８  メモリ回路
２０  操作部
２２  ＣＰＵ
２４  ＲＯＭ
２６  バス
【図１】
2006066955.tif 000003
【図２】
2006066955.tif 000004
【図３】
2006066955.tif 000005
【図４】
2006066955.tif 000006
【図５】
2006066955.tif 000007
【図６】
2006066955.tif 000008
【図７】
2006066955.tif 000009
【図８】
2006066955.tif 000010